(57)【要約】【課題】各出力毎に夫々調整する手間がいる技術を改良し、１回の操作で各出力の強度が変更可能な電気刺激装置の提供を課題とする。【解決手段】本電気刺激装置は、少なくとも第１出力と第２出力の２系統の出力とする。前記第１出力の出力信号強度を指示する第１増減操作手段と、前記第２出力の出力信号強度を指示する第２増減操作手段と、刺激に用いる出力を選択する出力選択操作手段と、電気刺激信号を発生させると共に前記第１増減操作手段及び前記第２増減操作手段の指示に従い前記電気刺激信号の強度を制御し出力信号を得る制御手段で構成する。前記制御手段は、前記出力選択操作手段の指示が前記第１出力と前記第２出力の両方を使用する指示の時に前記第１増減操作手段と前記第２増減操作手段のうち予めきめられた一方の指示、又はどちらかの指示により前記第１出力の出力信号強度と前記第２出力の出力信号強度を同時に増減させることで課題を解決する【選択図】  図２
2010240088.tif 000002
【特許請求の範囲】
【請求項１】
少なくとも第１出力と第２出力の２系統の出力を有する電気刺激装置において、
前記第１出力の出力信号強度を指示する第１増減操作手段と、
前記第２出力の出力信号強度を指示する第２増減操作手段と、
刺激に用いる出力を選択する出力選択操作手段と、
電気刺激信号を発生させると共に前記第１増減操作手段及び前記第２増減操作手段の指示に従い前記電気刺激信号の強度を制御し出力信号を得る制御手段からなり、
前記制御手段は、前記出力選択操作手段の指示が前記第１出力と前記第２出力の両方を使用する指示の時に前記第１増減操作手段と前記第２増減操作手段のうち予めきめられた一方の指示により前記第１出力の出力信号強度と前記第２出力の出力信号強度を同時に増減させる
ことを特徴とする電気刺激装置。
【請求項２】
少なくとも第１出力と第２出力の２系統の出力を有する電気刺激装置において、
前記第１出力の信号出力強度を指示する第１増減操作手段と、
前記第２出力の信号出力強度を指示する第２増減操作手段と、
使用する出力を選択する出力選択操作手段と、
電気刺激信号を発生させると共に前記第１増減操作手段及び前記第２増減操作手段の指示に従い前記電気刺激信号の強度を制御し出力信号を得る制御手段からなり、
前記制御手段は、前記出力選択操作手段の指示が前記第１出力と前記第２出力の両方を使用する指示の時に前記第１増減操作手段と前記第２増減操作手段のどちらの指示でも前記第１出力の出力強度と前記第２出力の出力強度を同時に増減させることを特徴とする電気刺激装置。
【発明の詳細な説明】
【技術分野】
【０００１】
本発明は、生体に電気刺激を与え、治療又は筋力トレーニングを行うときに使用する電気刺激装置に係る。
【背景技術】
【０００２】
電気刺激による治療、又は筋力トレーニングに用いる電気刺激装置は従来より知られており多数の製品が提供されている。
市販されている物の中には出力を複数有するものがあり、緩衝刺激や多部位刺激などに用いられている。
【特許文献１】特開２００６−１７５１６６号公報
【０００３】
開示した特許文献１は２出力ものであり、各出力の強度は独立した操作手段で夫々調整される。
言い換えれば、各出力毎に夫々調整する手間が有る。
【発明の開示】
【発明が解決しようとする課題】
【０００４】
本発明は、各出力毎に夫々調整する手間がいる従来技術の技術を改良し、１回の操作で各出力の強度が変更可能な電気刺激装置の提供を課題とする。
【課題を解決するための手段】
【０００５】
第１の発明の電気刺激装置は、
少なくとも第１出力と第２出力の２系統の出力とする。
前記第１出力の出力信号強度を指示する第１増減操作手段と、
前記第２出力の出力信号強度を指示する第２増減操作手段と、
刺激に用いる出力を選択する出力選択操作手段と、
電気刺激信号を発生させると共に前記第１増減操作手段及び前記第２増減操作手段の指示に従い前記電気刺激信号の強度を制御し出力信号を得る制御手段で構成する。
前記制御手段は、前記出力選択操作手段の指示が前記第１出力と前記第２出力の両方を使用する指示の時に前記第１増減操作手段と前記第２増減操作手段のうち予めきめられた一方の指示により前記第１出力の出力信号強度と前記第２出力の出力信号強度を同時に増減させることで課題を解決する
【０００６】
第２の発明の電気刺激装置は、
少なくとも第１出力と第２出力の２系統の出力とする。
前記第１出力の出力信号強度を指示する第１増減操作手段と、
前記第２出力の出力信号強度を指示する第２増減操作手段と、
刺激に用いる出力を選択する出力選択操作手段と、
電気刺激信号を発生させると共に前記第１増減操作手段及び前記第２増減操作手段の指示に従い前記電気刺激信号の強度を制御し出力信号を得る制御手段で構成する。
前記制御手段は、前記出力選択操作手段の指示が前記第１出力と前記第２出力の両方を使用する指示の時に前記第１増減操作手段と前記第２増減操作手段のどちらの指示でも前記第１出力の出力強度と前記第２出力の出力強度を同時に増減させることで課題を解決する
【発明の効果】
【０００７】
制御手段は、前記出力選択操作手段の指示が前記第１出力と前記第２出力の両方を使用する指示の時に前記第１増減操作手段と前記第２増減操作手段のうちの一方の指示により前記第１出力の出力信号強度と前記第２出力の出力信号強度を同時に増減させるので、１回の操作で各出力の強度が変更可能となる。
【発明を実施するための最良の形態】
【０００８】
本願発明の実施例を図を用いて説明する。
図１は本発明に係る電気刺激装置の概観である。
【０００９】
図２は本発明に係る電気刺激装置のブロック図である。
第１増減操作手段と第２増減操作手段と出力選択操作手段は使用者が操作するスイッチである。
制御手段の演算部は上記スイッチの状態を読み取り、記憶する。
【００１０】
制御手段は、演算部と電気刺激信号発生手段と第１出力強度制御手段と第２出力強度制御手段からなる。
電気刺激信号発生手段が発生した電気刺激信号は第１出力強度制御手段が介して第１出力に出力されるとともに、第２出力強度制御手段が介して第２出力に出力される。
演算部は記憶したスイッチの状態により、第１出力強度制御手段、第２出力強度制御手段に増減の指示を出す。
【００１１】
次に、出力選択操作手段が、第１出力と第２出力の両方を使用しない操作だった場合の動作を説明する。
演算部は第１増減操作手段の状態を読み込み記憶する。
更に増あるいは減の操作がなされた場合には、記憶した値を増或いは減し記憶しなおす。
記憶した値に基づき第１出力強度制御手段に指示し電気刺激信号の強度を調整し出力１に出力する。
また、出力２も同様に演算部は第２増減操作手段の状態を読み込み記憶する。
更に増あるいは減の操作がなされた場合には、記憶した値を増或いは減し記憶しなおす。
記憶した値に基づき第２出力強度制御手段に指示し電気刺激信号の強度を調整し出力２に出力する。
【００１２】
次に、出力選択操作手段が、第１出力と第２出力の両方を使用する操作だった場合の第１の発明の動作を説明する。
演算部は予め決められた増減操作手段の状態を読み込み記憶する。
更に増あるいは減の操作がなされた場合には、記憶した値を増或いは減し記憶しなおす。
記憶した値に基づき第１出力強度制御手段、及び第２出力強度制御手段に指示し電気刺激信号の強度を調整し出力１及び出力２に出力する。
【００１３】
次に、出力選択操作手段が、第１出力と第２出力の両方を使用する操作だった場合の第２の発明の動作を説明する。
演算部は第１増減操作手段及び第２増減操作手段の操作が成されたとき、その状態を読み込み記憶する。
更に増あるいは減の操作がなされた場合には、記憶した値を増或いは減し記憶しなおす。
記憶した値に基づき第１出力強度制御手段、及び第２出力強度制御手段に指示し電気刺激信号の強度を調整し出力１及び出力２に出力する。
【図面の簡単な説明】
【００１４】
【図１】本発明に係る電気刺激装置の概観
【図２】本発明に係る電気刺激装置のブロック図
【図１】
2010240088.tif 000003
【図２】
2010240088.tif 000004